(57)【要約】  【解決手段】  留め具（１０）が提供され、磁化物品（５２）を壁板パネル（１２）に固定するように構成されている。留め具（１０）に含まれるのは、第１の側面（１８）および反対側の第２の側面（２０）を有する留め具本体（１６）であり、皿頭貫通孔（２２）が、第１の側面（１８）から第２の側面（２０）まで延在する。本体（１６）は、テーパ形周縁（２６）を有する。さらに、第１の側面（１８）は、壁板接合テープ（２８）で覆われている。  【選択図】図１
2021522878.tif 000002
【特許請求の範囲】
【請求項１】
磁化物品を壁板パネルに固定するように構成された留め具であって、
第１の側面および反対側の第２の側面を有する留め具本体であって、皿頭貫通孔が前記第１の側面から前記第２の側面まで延在する、留め具本体を備え、
前記本体は、テーパ形周縁を有し、
前記第１の側面は、壁板接合テープで覆われている、留め具。
【請求項２】
前記留め具と前記壁板パネルとの間の掴握着設を強化するために、前記第２の側面から突出する少なくとも１つの構成部をさらに含む、請求項１に記載の留め具。
【請求項３】
前記少なくとも１つの構成部は、複数の歯である、請求項２に記載の留め具。
【請求項４】
前記本体は、磁性材料でできている、請求項１に記載の留め具。
【請求項５】
前記磁性材料は、ネオジムである、請求項４に記載の留め具。
【請求項６】
前記第１の側面内で、前記皿頭貫通孔に着座するように寸法決めされた頭部を有するねじ込み留め具をさらに含む、請求項１に記載の留め具。
【請求項７】
前記頭部とは反対側の前記ねじ込み留め具の端部に固定されたアンカ留め具をさらに含む、請求項６に記載の留め具。
【請求項８】
前記接合テープは、紙およびメッシュベースのうちの一方である、請求項１に記載の留め具。
【請求項９】
前記留め具本体の第１の側面が、前記本体の第２の側面よりも大きい直径を有する、請求項１に記載の留め具。
【請求項１０】
磁化物品を壁板パネルに固定するように構成された留め具であって、
第１の側面および反対側の第２の側面を有する、ネオジム製の留め具本体であって、皿頭貫通孔が、前記第１の側面から前記第２の側面まで延在し、
前記本体は、テーパ形周縁を有し、
前記第１の側面は、壁板接合テープで覆われている、留め具本体と、
前記留め具と前記壁板パネルとの間の掴握着設を強化するために、前記第２の側面から突出する少なくとも１つの構成部と、
前記貫通孔に係合し、前記皿頭貫通孔に着座して前記第１の側面と同一平面になるように寸法決めされた頭部を有する留め具と、を備える、留め具。
【発明の詳細な説明】
【背景技術】
【０００１】
本発明は、屋内壁建築、より具体的には、壁板パネルに対象物を取り付けるために使用される技術に関する。
【０００２】
壁板パネル、特に石こう壁板パネルは、建物建築に一般的に利用されている。紙の表シートと裏当てシートとでコーティングされた石こうコアを含むこれらのパネルは、壁、天井、仕切りを構築するために、および他の多くの用途で、一般的に使用されている。壁板パネルが任意選択的に石こう以外の他の材料で作られることは、当技術分野でよく知られている。
【０００３】
壁板パネルは、建築において多くの利点を提供し、軽量でありながら耐火性があり、設置が容易である。石こう壁板パネルは屋内の壁および天井として広く使用されているので、例えば、額装された写真または絵画、照明器具、ワイヤレススピーカ、およびフラットテレビスクリーンなど、さまざまな対象物をパネルに着設する必要が頻繁にある。従来、壁または天井に対象物を着設するには、釘またはねじなどの留め具と、関連するフックまたはブラケットとを必要とする。しかしながら、対象物がもはや不要になり、壁板パネルから取り外された後、パネルの表面は傷付いたままで、留め具があった場所に穴が残る。傷付いた壁板パネルを修復するには、典型的には、少なくとも一塗りのスパックルまたは接合化合物で穴にパッチを当て、紙やすりをかけ、次いでパッチを塗装して、補修領域をパネルの残りの部分に溶け込ませることが必要である。しかしながら、これらすべてのステップの後でも、傷付いたパネルは、引き続き不均一に見える場合がある。
【発明の概要】
【発明が解決しようとする課題】
【０００４】
壁板パネルに磁性グリッドを埋め込むためのシステムが、参照により組み込まれる、同一出願人による米国特許第９，８４９，６４９号に開示されている。その特許における開示は有用であるが、より経済的な実施形態が依然として必要である。したがって、従来の留め具を使用せずに、さまざまな対象物を壁板パネルに着設する新しい方法が必要である。
【０００５】
上記の必要性は、磁化物品を壁板パネルに固定する際に使用するための本留め具によって満たされる、または超越される。本磁化表面が、壁の、ユーザによって決定された場所にいったん着設されると、磁性表面を有する額装された写真または絵画、ワイヤレススピーカ、デジタル額縁、コンピュータディスプレイモニタ、フラットスクリーンテレビなどを含むがこれらに限定されない磁性装飾品は、従来のフックおよびブラケットを使用せずに、本留め具に着設可能である。本留め具の重要な特徴は、壁板接合テープの外層を含み、壁板パネル内に埋め込まれ、従来の壁板接合化合物を使用して仕上げられることである。本留め具の直径は、壁に取り付けられる対象物のサイズによって異なる。したがって、装飾品は、それらの存在がユーザに所望されている間、壁にしっかりと保持されているが、いったん変更が適切であるとみなされると、磁化装飾品は、本留め具が所定の位置に留まるので、壁板パネル表面への損傷を顕在化することなく、取り外される。
【０００６】
さらに、本留め具は、留め具の所望の位置の壁板パネルの背後に配置された支持スタッドが存在してもしなくても、パネルに固定可能である。スタッドが存在しない場合、本留め具は、本出願ではまとめてアンカ技術と称する、従来のアンカ、Ｕｍｂｒｅｌｌａ  Ｐａｔｃｈ（登録商標）壁修復パッチ、膜状体壁修復パッチ、またはモリーボルトを使用して、固定可能である。
【０００７】
より具体的には、留め具が提供され、磁化物品を壁板パネルに固定するように構成されている。留め具に含まれるのは、第１の側面および反対側の第２の側面を有する留め具本体であり、皿頭貫通孔が、第１の側面から第２の側面まで延在する。本体は、傾斜縁を有する周縁を有する。さらに、第１の側面は、壁板接合テープで覆われている。
【０００８】
代替実施形態では、留め具と壁板パネルとの間の掴握着設を強化するため、および壁板パネル上の留め具の回転を防止するために、少なくとも１つの構成部が第２の側面から突出している。１つの実施形態では、構成部は、複数の歯である。また、本体は、好ましくは磁性材料、より好ましくはネオジムであり、接合テープは、好ましくは、紙およびガラス繊維メッシュのうちの一方である。
【０００９】
別の実施形態では、磁化物品を壁板パネルに固定するように構成された留め具が提供される。留め具に含まれるのは、壁板接合テープで覆われた第１の側面、および反対側の第２の側面を有する、ネオジム製の留め具本体と、第１の側面から第２の側面まで延在する皿頭貫通孔とである。本体の周縁は、傾斜縁を有する。留め具と壁板パネルとの間の掴握着設を強化し、壁板パネル上の留め具の回転を防止するために、少なくとも１つの構成部が第２の側面から突出している。留め具が、貫通孔に係合し、皿頭貫通孔内に着座して第１の側面と同一平面になるように寸法決めされた頭部を有する。
【図面の簡単な説明】
【００１０】
【図１】本磁性留め具をいくつか備えた壁板パネルの正面斜視図であって、パネルから吊り下げられる装飾品を分解して示す図である。
【図２】パネルの背後にスタッドを有する壁板パネルの一部に固定される本留め具を示す部分分解縦断面図である。
【図２Ａ】本留め具の正面斜視図である。
【図３】本留め具がアンカ技術を用いて壁板パネルに固定されたところを示す、図２に示したものの代替実施形態の部分縦断面図である。
【図４】壁板パネルに固定され、表面仕上げされた本磁性留め具を示す、図２に示したような概略縦断面図である。
【発明を実施するための形態】
【００１１】
ここで、図１、図２、図２Ａおよび図４を参照すると、全体を１０で示す本留め具は、壁板パネル１２に取り付けられて示されている。本留め具１０は、いったん壁板パネル１２に固定されると、パネルの前面または正面１４と同一平面になることに留意することが重要である。
【００１２】
留め具１０に含まれるのは、第１の側面１８および反対側の第２の側面または背面２０を有する留め具本体１６である。皿頭貫通孔２２が、第１の側面から第２の側面まで延在し、第１の側面１８上に皿座２４を規定する。本体１６の特徴は、傾斜周縁２６を含むことである。換言すれば、留め具１０を側面から見たときに、周縁２６は、壁板パネル１２に向かってテーパ形、または下向きに傾斜しており、本体の第１の側面１８は、本体の第２の側面２０よりも大きな直径を有する。
【００１３】
本留め具１０の別の特徴は、当技術分野でよく知られているように、第１の側面１８が、紙またはメッシュベースのいずれかであると考えられる壁板接合テープ２８の層で覆われていることである。留め具本体１６は、壁板パネル１２に物品を保持するために磁性であることが重要であるため、本体は、強力な磁性材料でできていることが好ましい。ネオジムは、本体１６に好ましい材料であるが、Ｃｏｒｒｅｌａｔｅｄ  Ｍａｇｎｅｔｉｃｓ  Ｒｅｓｅａｒｃｈ、ＬＬＣ、Ｈｕｎｔｓｖｉｌｌｅ、ＡＬ  ３５８０６  ＵＳＡ（ｗｗｗ．ｐｏｌｙｍａｇｎｅｔ．ｃｏｍ）から入手可能なＰｏｌｙｍａｇｎｅｔｓを含むがこれらに限定されない、他の強力な磁性材料も考えられる。適切な化学接着剤（図示せず）が、壁板接合テープ２８を第１の側面１８に固定するために使用される。より大きな対象物または物品を壁板パネル１２に固定するために、留め具本体１６の直径がそれに応じて増大されることが考えられる。また、特に重い対象物または物品を吊り下げる場合、追加の留め具１０がパネル１２に設置される。
【００１４】
本留め具１０の別の好ましい特徴は、留め具と壁板パネル１２との間の掴握着設を強化するために、また、留め具１０がパネルに対して回転もしくはスピンする傾向を低減するまたはそれを防止するために、少なくとも１つ、好ましくは複数の掴握構成部３０が留め具本体１６の第２の側面２０から突出していることである。構成部３０は、留め具本体１６と一体的に形成されることが好ましい。好ましい実施形態では、リブ、チェッカ、エッチ、スクラッチ、リングなどを含む、構成部３０の形状の多数の変形態様がこの機能に適していると考えられるが、掴握構成部３０は、後方に突出する鋭い歯である。
【００１５】
留め具１０は、皿座２４に係合するように寸法決めされた頭部３４を有するねじ込み留め具３２によって壁板パネル上の所定の位置に固定され、いったんパネルに対して完全に締め付けられると、頭部３４は本体１６の第１の側面１８と同一平面になる（図４）。当技術分野でよく知られているように、壁板パネル１２は、金属または木材で作られた垂直スタッド３６を含む下層フレームによって支持されている。そのようなスタッド３６は、地域の建築基準に応じて、垂直で平行な構成で、規則的間隔を置いて配置されている。物品を吊るす所望の位置と留め具１０とがスタッド３６の前方にあると仮定して、ねじ込み留め具３２は、スタッドを貫通するねじ込みシャフト３８を含む。
【００１６】
ここで図３を参照すると、留め具１０の代替実施形態が、全体を４０で示されている。留め具１０と共通の構成要素は、同一の参照番号で識別されている。留め具１０と留め具４０とは概して同一である。留め具１０と留め具４０との主な違いは、後者が、支持スタッド３６がない壁板パネル１２上に配置されていることである。したがって、ねじ込み留め具３２は、アンカ４４を有する留め具４２で置き換えられている。上記したように、アンカ４４は、さまざまな構造を使用して、裏当てスタッドのない領域の壁板パネルにねじ込み留め具を固定するアンカ技術の１つの実施例である。しかしながら、いわゆるかさ形壁パッチまたはアンカ、ならびにすべてが参照により組み込まれる、ＵＳ３，３２５，９５５、ＵＳ５，９８３，５８７、およびＵＳ２００５／０２０４６７２に開示されているデバイスを含むがこれらに限定されない、他のタイプのアンカ技術が考えられる。
【００１７】
図３に見られるように、適切なアンカ技術の所望の特徴は、壁板パネル１２の背面４８と係合するアンカ４４のほぼ垂直な支持面４６である。留め具４０が締め付けられると、支持面４６が背面４８に対して引き寄せられ、留め具４０と壁板パネル１２との間の接続が強化される。
【００１８】
図１および図４に見られるように、留め具３２、４２が完全に設置されると、頭部３４は、皿座２４に係合し、壁板パネル１２の前面１４と同一平面になる。留め具本体１６の第１の面または前面１８は、接合テープ２８で覆われているので、留め具１０、４０の設置は、壁板接合化合物５０の塗布、紙やすりおよび塗装を含む、従来の壁板仕上げ技術を使用して達成される。また、留め具本体１６の周縁２６のテーパ形状により、ねじ込み留め具３２が締め付けられると、本体は、壁板パネルの前面１４内に沈み込む傾向がある。本留め具１０の盛り上がりは、図４ではいくらか誇張されており、実際には、設置はより平坦に見え、壁板パネル１２の前面１４に溶け込むことが理解される。
【００１９】
再び図１を参照すると、いったん留め具１０、４０が設置され、壁が適切に仕上げられると、（隠れて示された）磁性裏当て５４を有するワイヤレススピーカ、額装写真、絵画、フラットスクリーンテレビ、芸術作品などの物品５２が、壁板パネル１２に、留め具の位置で固定される。物品５２は、ユーザが物品の取り外しを望むまで、磁力によって所定の位置に保持される。重い物品５２を壁板パネル１２に適切に固定するためには、用途に応じて、留め具本体１６の直径が増大され、留め具１０の数も同様である。好ましい実施形態では、磁性留め具本体１６の保持力は、ユーザが物品５２を、壁板パネル前面１４に垂直な軸を中心に回転させて磁性着設を断絶するのには十分な強さである。
【００２０】
本明細書では、壁板留め具のための本磁性留め具技術の特定の実施形態を説明したが、その広範な態様において本発明から逸脱することなく、および以下の特許請求の範囲に記載されるように、変更および修正を加え得ることが当業者には理解されよう。
【図１】
2021522878.tif 000003
【図２】
2021522878.tif 000004
【図２Ａ】
2021522878.tif 000005
【図３】
2021522878.tif 000006
【図４】
2021522878.tif 000007
【国際調査報告】
2021522878.tif 000008
2021522878.tif 000009
2021522878.tif 000010